(57)【要約】【課題】隣接されたデッキ材の間から物が落ちにくいデッキ材及びデッキを提供する。【解決手段】大引きの上に取付部材にて取り付けられてデッキを形成するデッキ材であって、長手方向と交差する交差方向における両側部に、前記取付部材が係合される係合部を有し、前記交差方向に沿って切断した断面において、前記交差方向における両端の輪郭が非線対称であり、前記デッキの床面となり得る２つの表面のうちの一方の表面を前記床面とすべく前記大引き上に載置した場合における前記係合部の前記大引きからの距離と、他方の表面を前記床面とすべく前記大引き上に載置した場合における前記係合部の前記大引きからの距離とは等しい。【選択図】図４
2010236313.tif 000002
【特許請求の範囲】
【請求項１】
大引きの上に取付部材にて取り付けられてデッキを形成するデッキ材であって、
長手方向と交差する交差方向における両側部に、前記取付部材が係合される係合部を有し、
前記交差方向に沿って切断した断面において、前記交差方向における両端の輪郭が非線対称であり、
前記デッキの床面となり得る２つの表面のうちの一方の表面を前記床面とすべく前記大引き上に載置した場合における前記係合部の前記大引きからの距離と、他方の表面を前記床面とすべく前記大引き上に載置した場合における前記係合部の前記大引きからの距離とは等しいことを特徴とするデッキ材。
【請求項２】
請求項１に記載のデッキであって、
前記両端の輪郭は、前記断面の中心を対称の中心とする点対称の形状であることを特徴とするデッキ材。
【請求項３】
請求項１または請求項２に記載のデッキであって、
前記係合部は、前記交差方向に窪む凹部であり、
前記凹部より上側の部位と、前記凹部より下側の部位とは、前記交差方向において一方が他方より長く延出されていることを特徴とするデッキ材。  
【請求項４】
請求項３に記載のデッキであって、
前記凹部より上側の部位、または、前記凹部より下側の部位の延出されている部位を切除することにより、前記断面における前記交差方向の前記両端の輪郭が前記断面の中心を通る直線を対称軸として線対称となることを特徴とするデッキ材。  
【請求項５】
請求項１乃至請求項４のいずれかに記載のデッキ材と、
前記デッキ材が取り付けられる大引きと、を備えたことを特徴とするデッキ。
【発明の詳細な説明】
【技術分野】
【０００１】
本発明は、大引きに取り付けられるデッキ材及びデッキ材を有するデッキに関する。
【背景技術】
【０００２】
大引き上に取り付けられるデッキ材及びこのデッキ材を有するデッキとしては、例えば、大引き（根太材）の上に取り付けられた結合駒を大引きの長手方向における両側から挟むように取り付けられるデッキ材（床材）及びデッキが知られている（例えば、特許文献１参照）。このようなデッキ材は、大引きの長手方向に複数並べて設けられるため、ほぼ平板状をなすデッキ材は、両側面に結合駒の結合部片が係合する組み付け溝が設けられ、幅方向における両端部が対称な形状をなしている。
【先行技術文献】
【特許文献】
【０００３】
【特許文献１】特許第３６４５４７７号明細書
【発明の概要】
【発明が解決しようとする課題】
【０００４】
上記のようなデッキ材を大引きの長手方向に並べてデッキを形成すると、隣接されたデッキ材間にデッキ材の上下の空間を鉛直に連通する隙間が形成され、その隙間から物が落ち、また、落ちた物を拾い上げることができないという課題がある。
【０００５】
本発明は、かかる課題に鑑みてなされたものであり、その目的とするところは、隣接されたデッキ材の間から物が落ちにくいデッキ材及びデッキを提供することにある。
【課題を解決するための手段】
【０００６】
かかる目的を達成するために本発明のデッキ材は、大引きの上に取付部材にて取り付けられてデッキを形成するデッキ材であって、長手方向と交差する交差方向における両側部に、前記取付部材が係合される係合部を有し、前記交差方向に沿って切断した断面において、前記交差方向における両端の輪郭が非線対称であり、前記デッキの床面となり得る２つの面のうちの一方の面を前記床面とすべく前記大引き上に載置した場合における前記係合部の前記大引きからの距離と、他方の面を前記床面とすべく前記大引き上に載置した場合における前記係合部の前記大引きからの距離とは等しいことを特徴とするデッキ材である。
【０００７】
このようなデッキ材によれば、交差方向に沿って切断した断面において、交差方向における両端の輪郭が非線対称なので、複数のデッキ材を並べて配置する際には、隣接する
デッキ材の端部同士が上下方向において重なる位置に配置することが可能である。このため、デッキ材間にはデッキ材の上下の空間を鉛直に連通する隙間は形成されないので、デッキ材の間から物が落ちることを防止することが可能である。  
また、デッキ材の交差方向における両側部に形成される係合部の大引きからの距離は等しいので、デッキ材のいずれの面を床面としても一種類の取付部材にてデッキ材を大引きに取り付けることが可能である。
【０００８】
かかるデッキ材であって、前記両端の輪郭は、前記断面の中心を対称の中心とする点対称の形状であることが望ましい。  
このようなデッキ材によれば、デッキ材が有する２つの面のうちいずれの面を上方に向けても取り付けることができるので、施工時にデッキ材の表裏に拘らず取り付けることができる。このため、施工性が向上する。また、デッキ材の一方の面が汚れたり傷ついた場合には裏返して使用することが可能である。このとき、裏返したデッキ材と、隣接するデッキ材との位置関係は変わらないので、互いに隣接するデッキ材間に上下方向に連通する空間が形成されることなくデッキ材を裏返して使用することが可能である。
【０００９】
かかるデッキ材であって、前記係合部は、前記交差方向に窪む凹部であり、前記凹部より上側の部位と、前記凹部より下側の部位とは、前記交差方向において一方が他方より長く延出されていることが望ましい。  
このようなデッキ材によれば、複数のデッキ材を並べて配置する際には、隣接するデッキ材のうち、一方のデッキ材の凹部より下側の部位の上に、他方のデッキ材の凹部より上側の部位が配置されるので、隣接するデッキ材の端部同士を上下方向において確実に重ならせることが可能である。このため、デッキ材間にはデッキ材の上下の空間を鉛直に連通する隙間は形成されないので、デッキ材の間から物が落ちることをより確実に防止することが可能である。
【００１０】
かかるデッキであって、前記凹部より上側の部位、または、前記凹部より下側の部位の延出されている部位を切除することにより、前記断面における前記交差方向の両端の輪郭が前記断面の中心を通る直線を対称軸として線対称となることが望ましい。  
このようなデッキ材によれば、凹部より上側の部位、または、凹部より下側の部位の延出されている部位を切除して断面における交差方向の両端の輪郭を断面の中心を通る直線を対称軸として線対称とすることにより、例えば、デッキの縁部にて幕板を設ける際に、デッキの縁部にデッキ材のいずれの側が配置されたとしても、共通の幕板を取り付けることが可能である。
【００１１】
また、前記デッキ材と、前記デッキ材が取り付けられる大引きと、を備えたデッキである。  
このようなデッキは、デッキ材が、交差方向に沿って切断した断面において、交差方向における両端の輪郭が非線対称なので、複数のデッキ材を並べて配置する際には、隣接するデッキ材の端部同士が上下方向において重なる位置に配置することが可能である。このため、デッキ材間にはデッキ材の上下の空間を鉛直に連通する隙間は形成されないので、デッキ材の間から物が落ち難いデッキを実現することが可能である。  
また、デッキ材の交差方向における両側部に形成される係合部の大引きからの距離は等しいので、デッキ材の交差方向における両端の輪郭を非線対称としつつも簡単な形状の取付部材にてデッキ材を大引きに取り付けることが可能な、施工性に優れたデッキを実現することが可能である。
【発明の効果】
【００１２】
本発明によれば、隣接されたデッキ材の間から物が落ちにくいデッキ材及びデッキを提供することが可能である。
【図面の簡単な説明】
【００１３】
【図１】本実施形態に係るデッキを説明するための斜視図である。
【図２】図１のＡ矢視図である。
【図３】大引きとデッキ材との取付部を奥行き方向における手前側から見た図である。
【図４】デッキ材の長手方向と交差する交差方向に沿ってデッキ材を切断した際の断面図である。
【図５】本実施形態に係る取付部材を説明するための斜視図である。
【図６】デッキ材の端部の形状を説明するための図である。
【図７】大引き及び大引きの支持方法の変形例を示す図である。
【発明を実施するための形態】
【００１４】
以下、本発明の一実施形態に係るデッキについて図面を参照して説明する。
【００１５】
本実施形態のデッキ１は、例えば、図１、図２に示すように、地面や基礎５上に設けられた束柱３に支持された複数の大引き１０と、大引き１０の上に取付部材３０にて取り付けられるデッキ材２０とを有している。以下の説明においては、大引き１０の長手方向に沿う方向からデッキ１を見た際に、大引き１０の長手方向を奥行き方向、大引き１０の長手方向と交差する方向、すなわちデッキ材２０の長手方向であり左右となる方向を左右方向、上下となる方向を上下方向として説明する。また、デッキ１が備える各部材は、単体の状態であっても施工後のデッキ１として組み立てられた状態にて奥行き方向、左右方向、上下方向となる方向にて方向を特定して説明する。
【００１６】
本実施形態のデッキ１は、３本の束柱３の上に架け渡された大引き１０が、左右方向に互いに間隔を隔てて３本設けられており、３本の大引き１０の上に、長手方向が左右方向に沿わされて架け渡されたデッキ材２０が、奥行き方向に複数枚並べて配置され、大引き１０とデッキ材２０とが交差する部位にて取付部材３０により大引き１０にデッキ材２０が取り付けられている。
【００１７】
大引き１０は、アルミニウム製の押出成形部材であり、図３に示すように、束柱３上に当接され左右方向に互いに間隔を隔てて設けられた一対の座板部１１と、座板部１１の上面からそれぞれ鉛直方向に立設され左右方向に互いに間隔を隔てて対面する一対の壁部１２と、壁部１２の上縁から互いに対向する方向に水平方向に延出された水平延出部１３と、を有する本体部１５、及び、本体部１５から上方に突出された突出部１６とを有している。
【００１８】
座板部１１は、壁部１２の内側より外側に広く形成されており、束柱３上に載置された部位の壁部１２より外側にてビス５０により束柱３に固定されている。
【００１９】
突出部１６は、一対の壁部１２の上縁から各々延出された水平延出部１３の先端から鉛直方向上方に延出された一対の鉛直延出部１７と、一対の鉛直延出部１７の上端を連結して水平面を有する上板部１８とを有している。上板部１８は、一対の鉛直延出部１７より左右方向、すなわち大引き１０の幅方向に広く形成されており、鉛直延出部１７より左右方向外側に突出している部位が、取付部材３０と係合する係合片１８ａをなしている。
【００２０】
デッキ材２０は、木粉を含有する樹脂にて押出成形された部材であり、図４に示すように、デッキ１の床面を形成可能であり、水平な表面２１ａを有する２枚の平板部２１と、２枚の平板部２１の奥行き方向における両端側にて２枚の平板部２１を上下方向に互いに間隔を隔てて連結する両端の側部２２と、２枚の平板部２１及び両側の側部２２とにて囲まれた空間内に設けられ２枚の平板部２１間を連結する６本のリブ２３と、両側の側部２２からそれぞれ奥行き方向外側、すなわちデッキ材２０の幅方向における外側に向かって突出された側方突出部２４とを有している。すなわち、デッキ材２０は、２枚の平板部２１及び両側の側部２２との内側をデッキ材２０の長手方向に連通する７つの空間に区画する６本のリブ２３が設けられて高い剛性が確保されている。
【００２１】
デッキ材２０の幅方向における両側に設けられた側部２２には、厚み方向における中央部分に、側部２２の外側から内側に向かって、すなわちデッキ材２０が有する空間の内側に向かって窪む係合部としての凹部２５がデッキ材２０の長手方向に沿って溝状に形成されている。また、両側の側部２２の一方には、凹部２５の上側の縁部２５ａと上縁部２２ａとに水平方向に突出する側方突出部２４が設けられており、両側の側部２２の他方には、凹部２５の下側の縁部２５ｂと下縁部２２ｂとに水平方向に側方突出部２４が設けられている。そして、一方の側部２２の上縁部２２ａに設けられた側方突出部２４と、他方の側部２２の下縁部２２ｂに設けられた側方突出部２４とは、各々平板部２１と繋がった水平面を形成している。このため、デッキ材２０は、デッキ材２０の長手方向と交差する交差方向に沿って切断した断面において、交差方向における両端、すなわち両側の側部２２の輪郭が非線対称の形状に形成されており、また、デッキ材２０の交差方向に沿って切断した断面の中心Ｐを対称の中心とする点対称の形状に形成されている。
【００２２】
そして、両側部２２から突出されて、各々の側部２２にそれぞれ２つずつ形成された側方突出部２４を切除すると、凹部２５の上下に位置し、側方突出部２４が設けられていない側面２２ｃと、側方突出部２４が切除された部位がなす側面２２ｄとが、ほぼ面一となるように形成されている。このように、デッキ材２０の両側部２２に設けられている側方突出部２４を切除すると、デッキ材２０は、デッキ材２０の交差方向に沿って切断した断面の中心を通る直線Ｌを対称軸として線対称となるように構成されている。
【００２３】
取付部材３０は、アルミニウム製の部材であり、図５に示すように、互いに間隔を隔てて並べて配置された一対の平板状の基部３１と、対をなす基部３１に跨って設けられ基部３１が並ぶ方向に沿う平面を形成し鉛直方向に立設された束壁部３２と、束壁部３２の上縁部に設けられ水平面を形成する天部３３とを有している。
【００２４】
一対の基部３１の間隔は、大引き１０が有する突出部１６を形成する鉛直延出部１７の幅より僅かに広く、また、上板部１８の幅より狭く形成されている。また、基部３１には、取付部材３０を大引き１０にビスにて固定することができるように、ビス５０が貫通されるビス孔３１ａが設けられている。
【００２５】
束壁部３２の下部には、基部３１の間隔より広い幅の切り欠き部３２ａが設けられており、一対の基部３１が、大引き１０の水平延出部１３に載置された際に、大引き１０の突出部１６の上板部１８が干渉しないように構成されている。このため、一対の基部３１が水平延出部１３に載置されるとともに、上板部１８の左右方向における両端に設けられた係合片１８ａが、基部３１の内側と束壁部３２との間に配置された状態にて、取付部材３０の上方への移動が規制されるとともに、大引き１０の長手方向にスライド可能に形成されている。  
また束壁部３２には、奥行き方向における手前側の面３２ｂ側に僅かに切り起こされた間隔規制突起３２ｃが設けられている。
【００２６】
天部３３は、束壁部３２の上縁から束壁部３２の奥行き方向における手前側と奥側とにそれぞれ突出されて、デッキ材２０に設けられた凹部２５と係合する係合突片３３ａ、３３ｂを構成し、２つの係合突片３３ａ、３３ｂは繋がった１つの水平面を形成している。２つの係合突片３３ａ、３３ｂは、間隔規制突起３２ｃが設けられている側（手前側）に突出された係合突片３３ａが、奥側に突出された係合突片３３ｂより突出量が小さく形成されている。また、奥側に突出されて突出量が大きい係合突片３３ｂには、取付部材３０にデッキ材２０をピン５１にて固定するための固定孔３３ｃが形成されている。
【００２７】
すなわち、取付部材３０は、基部３１に設けられたビス孔３１ａと、束壁部３２から突出された間隔規制突起３２ｃと、突出量が小さい係合突片３３ａとが束壁部３２の手前側に設けられており、突出量が大きな係合突片３３ｂと、この係合突片３３ｂに設けられた固定孔３３ｃとが束壁部３２の奥側に設けられている。
【００２８】
デッキ材２０を大引き１０上に敷き詰める際には、例えば、まずデッキ材２０が架け渡される各大引き１０の奥行き方向における奥側に位置する端部側に端部取付部材３５を固定する。このとき、端部取付部材３５としては、例えば、上述した取付部材３０の突出量が大きな係合突片３３ｂと基部３１の束壁部３２より奥側の部位が切除された部材を用いる。そして、大引き１０の奥行き方向における奥側に位置する端部側に、突出量が小さな係合突片３３ａが手前側に向けられて配置されるように端部取付部材３５をピン５１または釘にて固定する。
【００２９】
固定された各端部取付部材３５の突出量が小さな係合突片３３ａがデッキ材２０の一方の側部２２に設けられた係合部としての凹部２５と係合するようにデッキ材２０を配置する。このとき、デッキ材２０は、凹部２５の上側に側方突出部２４が設けられている側を端部取付部材３５側に向けて配置する。
【００３０】
次に、取付部材３０を各大引き１０と係合させつつスライドさせ、既に取り付けられているデッキ材２０に当接させる。このとき、取付部材３０の突出量が大きい側の係合突片３３ｂが、既に取り付けられたデッキ材２０の凹部２５と係合するように取り付ける。また、各大引き１０に取り付けられた取付部材３０のうちの１つとデッキ材２０とをビス５０にて固定する。図１の例では、３本の大引き１０のうち、中央に位置する大引き１０に係合された取付部材３０とデッキ材２０とをビス５０にて固定している。
【００３１】
次に新たなデッキ材２０を各取付部材３０の突出量が小さな係合突片３３ａがデッキ材２０の一方の側部２２に設けられた凹部２５と係合するように配置する。
【００３２】
このように、デッキ材２０と取付部材３０とを交互に配置してデッキ材２０を取り付けて大引き１０の端部までデッキ材２０を敷き詰める。このとき、デッキ材２０を数枚ごとに取付部材３０を大引き１０にビス５０にて固定する。例えば、奥行き方向にデッキ材２０を４枚並べるまでは取付部材３０を大引き１０に固定せず、５枚目のデッキ材２０を配置した後に取り付ける各取付部材３０はビス５０にて各大引き１０に固定するというようにデッキ材２０を５枚配置するごとに取付部材３０を固定する。
【００３３】
上記実施形態のデッキ材２０は、デッキ材２０の幅方向における両側の側部２２の一方に、凹部２５の上側の縁部２５ａと上縁部２２ａとに水平方向に突出する側方突出部２４とを備え、両側の側部２２の他方には、凹部２５の下側の縁部２５ｂと下縁部２２ｂとに水平方向に側方突出部２４を備えた構造とし、デッキ材２０の長手方向と交差する交差方向に沿って切断した断面において、交差方向である奥行き方向における両端の輪郭が非線対称の形状をなしている。このため、複数のデッキ材２０を並べて配置する際には、隣接するデッキ材２０のうち、奥行き方向における奥側のデッキ材２０の凹部２５より下側に設けられた側方突出部２４の上方に、奥行き方向における手間側のデッキ材２０の凹部２５より上側に設けられた側方突出部２４が配置されるので、隣接するデッキ材２０の端部同士を上下方向において確実に重ならせることが可能である。このため、デッキ材２０間にはデッキ材２０の上下の空間を鉛直に連通する隙間は形成されないので、デッキ材２０の間から物が落ちることをより確実に防止することが可能である。
【００３４】
また、デッキ材２０が有する２つの表面２１ａのうちいずれの表面を上方に向けても取り付けることができるので、施工時にデッキ材２０の表裏に拘らず取り付けることができる。さらに、デッキ材２０の２つの表面２１ａのうちいずれの面を上方に向けても取り付けたとしても、デッキ材２０の交差方向における両側部２２に形成された凹部２５の大引き１０からの距離は等しいので、デッキ材２０のいずれの表面２１ａを床面としても一種類の取付部材３０にてデッキ材２０を大引き１０に取り付けることが可能である。このため、デッキ材２０の幅方向における両端の輪郭を非線対称としつつも簡単な形状の同一の取付部材３０にてデッキ材２０を大引き１０に取り付けることが可能であり、施工性に優れたデッキ材２０を実現することが可能である。また、デッキ材２０の一方の表面２１ａが汚れたり傷ついた場合には裏返して他方の表面２１ａを床面として使用することが可能であり、さらに、２つの表面２１ａを異なる模様や色にて形成すると、２種類のデッキを構成することが可能である。
【００３５】
また、デッキ材２０は、図４に示すように、凹部２５より上側の部位、または、凹部２５より下側の部位から延出させて側方突出部２４を設けている。デッキ材２０の端部を突出させる方法としては、例えば、図６に示すように、凹部２５より上側の２つの側方突出部２４に相当する突出部位２６の先端、及び、凹部２５より下側の２つの側方突出部２４に相当する突出部位２６の先端をそれぞれ連結してデッキ材２０の端部に突出部２７を設け、デッキ材２０の両端側に形成される中空部２８と繋がった空間が形成される形状とすることが考えられる。しかしながら、２つの突出部位２６を連結した部位と中空部２８とが繋がった形状とすると、デッキ材２０を押出成形する際に使用するインダイスの形状が、幅の狭い突起が長く突出した形状となる。幅の狭い突起が長く突出しているインダイスは、突出した部分の先端が欠け易いため、単一のインダイスにて成形可能なデッキ材２０の数が少なく製造性が悪い。このため、インダイスの突出部分を小さくするために、凹部２５より上側の部位、または、凹部２５より下側の部位から延出させて側方突出部２４を設けた形状として製造性を高めている。
【００３６】
また、単に側方突出部２４を設けただけでなく、図４に示すように、側方突出部２４を切除した際に、側方突出部２４が設けられていない側面２２ｃと、側方突出部２４が切除された部位がなす側面２２ｄとが、ほぼ面一となるような形状とすることにより、断面における交差方向の両端部となる両側部２２の輪郭を断面の中心Ｐを通る直線Ｌを対称軸として線対称となるようにしている。このため、例えば、デッキ１の縁部にて幕板を設ける際に、デッキ１の縁部にデッキ材２０ａのいずれの側が配置されたとしても、共通の幕板を取り付けることが可能である。
【００３７】
そして上記実施形態のデッキ１によれば、デッキ材２０が、デッキ材の幅方向に沿って切断した断面において、幅方向における両側部２２の輪郭が非線対称なので、複数のデッキ材２０を並べて配置する際には、隣接するデッキ材２０の側方突出部２４同士を上下方向において重なる位置に配置することが可能である。このため、デッキ材２０間にはデッキ材２０の上下の空間を鉛直に連通する隙間は形成されないので、デッキ材２０の間から物が落ち難いデッキ１を実現することが可能である。
【００３８】
また、デッキ材２０の交差方向における両側部２２に形成される凹部２５の大引き１０からの距離は等しく、デッキ材２０が有する２つの表面２１ａのうちいずれの面を上方に向けても取り付けることができるので、デッキ材２０の交差方向における両側部２２の形状を非線対称としつつも簡単な形状の取付部材３０にて容易にデッキ材２０を大引き１０に取り付けることが可能な、施工性に優れたデッキ１を実現することが可能である。
【００３９】
上記実施形態においては、デッキ材２０が木粉を含有する樹脂にて押出成形されている例について説明したが、必ずしも木粉が含有されていなくても良い。
【００４０】
また、上記実施形態においては、大引き１０が一対の座板部１１と、座板部１１の上面からそれぞれ鉛直方向に立設された一対の壁部１２とを有し、座板部１１が束柱３上に載置されてビス５０により束柱３に固定されている例について説明したが、これに限るものではない。例えば、図７に示すように、大引き１０が、基礎から突出されたアンカーに固定された角型の中空部材にて形成された束柱３上に載置され、この束柱３に大引き１０が固定されていても良い。この場合には、大引き１０は、一対の壁部１２の下端側が連結されて底部１４が形成されており、底部１４より下方に垂設され壁部１２と繋がった平面を形成する垂壁部１９を有している。そして、間隔を隔てて配置された複数の束柱３を１本の大引き１０にて覆うように底部１４が束柱３上に載置され、束柱３の側面と対向する垂壁部１９を貫通するビス５０が側方から束柱３に螺合されて大引き１０が束柱３に固定される。
【００４１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４２】
１  デッキ、１０  大引き、２０  デッキ材、
２１  平板部、２１ａ  表面、
２２  側部、２２ｃ、２２ｄ  側面、
２４  側方突出部、２５  凹部、
３０  取付部材、
Ｌ  中心を通る直線、Ｐ  中心
【図１】
2010236313.tif 000003
【図２】
2010236313.tif 000004
【図３】
2010236313.tif 000005
【図４】
2010236313.tif 000006
【図５】
2010236313.tif 000007
【図６】
2010236313.tif 000008
【図７】
2010236313.tif 000009